(57)【要約】断熱又は非断熱容器内に配置され、容器が垂直または逆さま状態で垂直に配置される特別に設計されたユニットからなる、圧縮された液体及びび/又はガスのCO2容器を使用する独立型および自立型冷却システム。液体及び／又はガスのＣＯ２冷却剤は、伝熱プレート又は熱交換器に埋め込まれたキャピラリー管内に放出され、したがって、ＣＯ ２冷却剤の性質を活用する。温度は、遠隔的に及び／又はタッチスクリーンを介して操作することができそして所定の閾値を超えたときに警報を送ることができる電子制御装置を包含する計量式ＣＯ２放出システムによって制御される。本発明の計量式ＣＯ２放出システムは、電子式又はサーモスタット式弁によって起動でき、又は手動で又は電子ソレノイドによって起動できる。本発明の冷却システムは、ＣＯ２容器を個々に取り外し又は交換するときに液体及び／又は気体のＣＯ２が逃げるのを防ぐ逆止弁も包含する。
2020504803.tif 000002
【特許請求の範囲】
【請求項１】
液体および／または気体冷却システムであって、
ａ.  少なくとも１つの圧縮液体および／または気体ＣＯ２容器と、
ｂ.  前記少なくとも１つの圧縮液体および／または気体ＣＯ２容器の周囲側壁及び頂部により囲まれた内部チャンバ内に保持されるＣＯ２冷媒と、
c.  少なくとも上面を有する伝熱プレートと、
d.  前記伝熱プレートの前記上面に固定されるマニホールドブロックであって、前記伝熱プレートの端部に隣接する本体を有するマニホールドブロックと、
e.  ここで、前記少なくとも１つの圧縮液体および／または気体ＣＯ２容器は、前記少なくとも１つの圧縮液体および／または気体ＣＯ２容器の前記内部チャンバと流体連通する部材を有し、前記部材は嵌合する雄ネジを有する周囲側壁を有し、前記少なくとも１つの圧縮液体および／またはガスＣＯ２容器が前記マニホールドブロックの少なくとも１つの開口部内に逆さ状態で保持されるように、逆さ状態の前記圧縮液体および／またはガスＣＯ２容器の雄ネジが嵌合する雌ネジにねじ込まれ、嵌合し、
ｆ．  前記マニホールドブロックと保持されている前記少なくとも1つの圧縮液体および／またはガスＣＯ２容器の間にある逆止弁であって、圧縮液体および／またはガスＣＯ ２を伝熱プレートに埋め込まれたキャピラリー管に放出する流体分配弁に接続される逆止弁と、
g.  計量ＣＯ２制御放出システムの一部としての放出または制御弁であって、少なくとも１つの圧縮液体および／またはガスＣＯ２容器から当該システムに放出するために、手動式、電気機械式、電子式またはサーモスタット式で制御または作動される制御弁と、
を備え、
前記制御弁は、少なくとも１つの圧縮液体および／または気体ＣＯ２容器からの圧縮液体および／または気体ＣＯ２の放出を計量および制御することを特徴とするシステム。
【請求項２】
請求項１に記載のシステムであって、
a.  前記マニホールドブロックの少なくとも一つの開口部が、前記少なくとも１つの圧縮液体および／またはガスＣＯ２容器の、嵌合する雄ネジがねじ込まれる表面に、嵌合する雌型ネジを有し、
ｂ.  前記マニホールドブロックは、圧縮された液体および／または気体ＣＯ２が放出されると運ばれる内部空洞を有し、
c.  前記内部空洞は、前記伝熱プレートに埋め込まれた少なくとも１つのキャピラリー管と接続される、ことを特徴とするシステム。
【請求項３】
請求項１に記載のシステムであって、
a.  前記伝熱プレートは、その表面を通して熱を伝達する能力を有する材料で作られ、前記圧縮された液体および／またはガスＣＯ２が前記電子式またはサーモスタット式弁によって放出される埋め込みキャピラリー管を含み、
b.  前記伝熱プレートに沿って温度の制御された低下および安定した維持が、物品を冷蔵、冷却または冷凍に維持することを可能にする、ことを特徴とするシステム。
【請求項４】
請求項１に記載のシステムであって、
a.  様々な幅および長さを有する１つまたは複数の前記キャピラリー管が前記伝熱プレートに埋め込まれるか、または缶、ボトルまたは冷蔵、冷却または凍結を必要とする他の物品を含む飲料を冷蔵、冷却または凍結するように設計された冷却チャンバに巻き付けられ、
b.  前記キャピラリー管の様々な幅および長さは、ユーザーが圧縮液体および／またはガスＣＯ２の流れを手動で調整、変更または制御を可能にし、伝熱プレートのより効率的な利用のために放出されるべき圧縮液体および／またはガスＣＯ２の温度設定ならびに量にすることを可能にし、
c.  前記キャピラリー管は、前記伝熱プレートに沿って圧縮液体および／または気体ＣＯ２を運搬し、前記キャピラリー管は圧縮液体および／または気体ＣＯ２の流れの凍結、目詰まりまたは閉塞を回避するためのフィルタを有し、前記キャピラリー管は、前記伝熱プレート内で圧縮液体および／またはガスＣＯ２容器から圧縮液体および／またはガスＣＯ２を安全に放出し、圧縮液体および／またはガスＣＯ２が冷蔵を必要とする物品に直接こぼれることを回避すべく運搬する、ことを特徴とするシステム。  
【請求項５】
請求項１に記載のシステムであって、
ユーザーによって必要と見なされたときに、前記伝熱プレートに埋め込まれた前記キャピラリー管内に圧縮液体および／またはガスＣＯ２を開放および放出するために、少なくとも手動弁制御として機能する部材を含む、システム。
【請求項６】
請求項１に記載のシステムであって、
a.  暗号化されたコマンドを前記電子制御装置に送信するための送信部材を含む電子制御装置であって、所望の冷却温度が決定されると、前記電子制御装置は前記制御弁を開き、圧縮液体および／またはガスＣＯ２を少なくとも１つの分配弁を通して、前記伝熱プレートに埋め込まれた前記キャピラリー管を通し、前記伝熱プレートにより選択された場所を冷却温度にし、
b.  冷却器およびその周囲の温度を評価し、前記冷却器内部の設定閾値温度が所望の期間および長さの時間にわたって達成されるまで、前記伝熱プレートに埋め込まれたキャピラリー管内に圧縮液体および／またはガスＣＯ２を電気的に開放および放出する目的で電子弁制御として機能する少なくとも電子ＣＯ２部材と、
されに含むシステム。
【請求項７】
請求項１に記載のシステムであって、
a.  暗号化されたコマンドを電子制御部材に送信する送信部材を含む電子制御装置であって、所望の冷却温度が決定されると、前記電子制御部材が制御バルブを開き、圧縮液体および/または気体CO 2が、選択した場所に冷却温度を提供する伝熱プレートに埋め込まれたキャピラリー管を通って少なくとも1つの分配バルブを通して分配され、
b.  ユーザーが必要と見なしたときに、前記伝熱プレートに埋め込まれた前記キャピラリー管への液体および／または気体ＣＯ２の流れを制御する目的で、前記マニホールドブロックに含まれ、弁制御器として機能する少なくとも１つの電子ソレノイド部材と、
をさらに含み、
c.  前記ソレノイド部材が励磁されると、前記マニホールドブロックに含まれるレバーを作動させる磁界が発生し、これによりプランジャーが上昇し、前記弁を通る圧縮された液体および／またはガスＣＯ２の流れが可能になり、
d.  前記ソレノイドＣＯ２弁制御は、所望の温度および／または所望の時期または必要な時間の長さに応じて、圧縮液体および／またはガスＣＯ２の流れを制御するために様々な時間で作動し続ける、ことを特徴とするシステム。
【請求項８】
請求項１に記載のシステムであって、
a.  前記少なくとも１つの圧縮液体および／または気体ＣＯ２容器を―７８℃から周囲の外部温度に温度制御する弁として機能する少なくとも１つのサーモスタットＣＯ２部材と、
をさらに含み、
b.  前記サーモスタットＣＯ２部材は、ポリマー／ワックス成分の混合物の熱膨張を利用することによって作動するポリマー／ワックスベースのサーモスタット弁であり、
c.  前記ポリマー／ワックス混合物が溶融し始めると、材料が膨張して弁を開き、
d.  当該システムが冷却し始めると、前記混合物が収縮して固化し、それによって弁を閉じ、
e.  前記ポリマー／ワックス混合物が溶融し始める温度はその配合に依存し、所望の操作温度に基づいて選択され、
f.  所望の運転温度に達すると、運転温度が所望の運転温度を超えるまで、ワックスベースの前記サーモスタット弁が一定期間閉じる、温度に達すると、ワックスベースの前記サーモスタット弁が開く、ことを特徴とするシステム。
【請求項９】
請求項１に記載のシステムであって、
a.  前記圧縮液体および／または気体ＣＯ２容器のマニホールドブロックと、２つ以上の前記圧縮液体および／または気体ＣＯ２容器を接続するマニホールドブロックとの間に配置された少なくとも１つの逆止弁と、
をさらに含み、
b.  前記少なくとも１つの逆止弁は、ＣＯ２容器を個別に取り外しまたは交換するときに、圧縮された液体および／または気体ＣＯ２が漏れるのを回避し、
c.  前記少なくとも１つの逆止弁は、１つまたは複数の圧縮液体および／またはガスＣＯ２容器の効率的な利用を可能にする、ことを特徴とするシステム。
【請求項１０】
a. i.特別に設計された冷却分配プレート、液体および/または気体ＣＯ2をカートリッジから冷却分配プレートに運ぶためのキャピラリー管、封じ込めトレイ、
ii.液体ディバイダー
iii.無線周波数成分、および
iv.入出力コネクタを有する電子部品を含み、一方の表面にディスプレイを有する電子制御装置を含むケースボックス
を少なくとも含む特別に設計された製氷システムからなるシステム。
【請求項１１】
前記電子制御装置がバッテリによって電力を供給される、請求項１０に記載のシステム。
【請求項１２】
前記バッテリがＵＳＢポートを介して充電可能である、請求項１１に記載のシステム。
【請求項１３】
前記バッテリが、１２ＶのＤＣ自動車、または他の輸送接続媒体を介して充電可能である、請求項１１に記載のシステム。
【請求項１４】
前記バッテリが１２０ＶＡＣ接続を介して充電可能である、請求項１１に記載のシステム。
【請求項１５】
前記バッテリが太陽電池パネルを介して電力を供給される、請求項１１に記載のシステム。
【請求項１６】
a.  断熱された側壁、断熱された再密封可能な蓋および断熱された底面を有する断熱箱と、
b.  液体および/または気体冷却CO2システムであって、
i.  少なくとも１つの圧縮された液体および／または気体の容器、
ii.  前記少なくとも１つの圧縮液体容器のそれぞれの周囲側壁および頂部によって囲まれた内部チャンバ内に保持されたＣＯ２冷媒、
iii.  少なくとも上面を有する伝熱プレート、
iv.  前記伝熱プレートの前記上面に固定されたマニホールドブロックであって、前記前記マニホールドブロックは伝熱プレートに隣接し、上面に対して垂直に延びる本体を有し、前記マニホールドブロックの本体内に延びる少なくとも１つの開口部を有し、前記少なくとも１つの開口部の表面に雌ネジを有し、前記少なくとも１つの開口部は、前記マニホールドブロックの本体の側壁の対応する開口部まで延び、
v.  前記少なくとも１つの圧縮液体および／または気体容器は、前記少なくとも１つの圧縮液体および／または気体容器の前記内部チャンバと流体連通する部材を有し、前記部材は、嵌合する雄ねじを有する周囲側壁を有し、逆さ状態の前記少なくとも１つの圧縮液体および／または気体容器の前記嵌合する雄ネジが前記雌ネジとねじ込まれて嵌合することで、前記少なくとも１つの圧縮液体および／または気体容器が前記マニホールドブロックの前記少なくとも１つの開口部に逆さの状態で保持され、
vi.  前記マニホールドブロックと保持された前記少なくとも１つの圧縮された液体および／または気体の容器との間の逆止弁であって、圧縮液体および／またはガスＣＯ２を伝熱プレートに埋め込まれたキャピラリー管に放出する流体分配弁に接続される逆止弁と、
vii.  制御ＣＯ２制御放出システムの一部として、前記ＣＯ２容器から本発明の冷却システム内に液体および／またはガスＣＯ２を放出するために電子的に制御または作動される放出または制御弁と、
viii.  様々な幅および長さを有する１つまたは複数のキャピラリー管が伝熱プレートに埋め込まれるか、または缶、ボトルまたは冷蔵、冷却または凍結を必要とする他の物品を含む飲料を冷蔵、冷却または凍結するように設計された冷却室に巻き付けられ、
ix.  前記キャピラリー管の様々な幅および長さは、ユーザーが圧縮液体および／またはガスＣＯ２の流れを手動で調整、変更または制御を可能にし、伝熱プレートのより効率的な利用のために放出されるべき圧縮液体および／またはガスＣＯ２の温度設定ならびに量にすることを可能にし、
x.  前記キャピラリー管は、伝熱プレートに沿って圧縮液体および／または気体ＣＯ２を運搬し、圧縮液体および／または気体ＣＯ２の流れの凍結、目詰まりまたは閉塞を回避するためのフィルタを有し、
前記キャピラリー管は、前記伝熱プレート内に圧縮液体および／またはガスＣＯ２容器から安全に放出されるように圧縮液体および／またはガスＣＯ２を運搬し、それによって圧縮液体および／またはガスＣＯ２が、冷蔵が必要な物品に直接漏れることを回避し、
c.  絶縁された電線全体にわたって本発明のユニットに埋め込まれ内部で接続されている、前記容器の側壁の外側に配置された電子制御装置であって、
前記電子制御装置は暗号化されたコマンドを電子制御部材に送信し、所望の冷却温度が決定されると、前記電子制御部材は前記制御弁を開き、液体および／または気体ＣＯ２はキャピラリー管を通って少なくとも１つの分配弁を通り、前記伝熱プレートに分配され、前記伝熱プレートは選択された位置に冷却温度を提供し、前記電子制御装置は、
i.  ａ）冷却器の外側、b）クーラーの内部、 ｃ）熱交換器の上面の温度が視覚化されるディスプレイ、
ii.  現在の温度をチェックし、所望の温度を前記電子弁に送信することを目的とした電子ボード、
iii.  本発明の冷却システムへの有線電子接続、
ｉｖ.  USBポート、
v.  電源コンポーネント、
vi.  Bluetooth（登録商標）コンポーネント、
vii.  WiFiコンポーネント、および
viii.  無線周波数成分
ix.  入出力コネクタを有する電子部品を収容し、一方の表面にディスプレイを有するケースボックス、
からなる群から選択され、
i.  特別に設計された冷却分配プレート
ii.  前記液体および／または気体のＣＯ２をカートリッジから冷却分配プレートに運ぶためのキャピラリー管、
iii.  封じ込めトレイ、および
iv.  液体ディバイダー
からなる群から選択される製氷システムと、
を少なくとも含む、特別に設計された断熱冷却器。
【請求項１７】
請求項１６に記載のシステムであって、
さらに、前記電子制御装置が、
a.  i）クーラーの外部、ii）クーラーの内部、ｉｉｉ）熱交換器の上面の温度が視覚化されるディスプレイ、
b.  現在の温度をチェックし、所望の温度を前記電子弁に送るための電子ボード、
c.  前記冷却器への有線電子接続、
d.  USBポート、
e.  電源コンポーネント、
f.  Bluetooth（登録商標）コンポーネント、
g.  WiFiコンポーネント、
h.  無線周波数成分、および
i.  ードおよび冷却器の接続、USBポート、電源コンポーネント、Bluetooth（登録商標）コンポーネント、WiFiコンポーネント、および無線周波数コンポーネントのうちの少なくとも1つを含み、冷却器の表面上にディスプレイを有する入力および出力を有する部品を備えるケースボックス
からなる群から選択される、ことを特徴とするシステム。
【請求項１８】
前記電子制御装置がバッテリによって電力を供給される、請求項１７に記載のシステム。
【請求項１９】
前記バッテリがＵＳＢポートを介して充電可能である、請求項１８に記載のシステム。
【請求項２０】
前記バッテリが、１２ＶのＤＣ自動車接続を介して充電可能である、請求項１８に記載のシステム。
【請求項２１】
前記バッテリが１２０ＶＡＣ接続を介して充電可能である、請求項１８に記載のシステム。
【請求項２２】
前記バッテリが太陽電池パネルを介して電力を供給される、請求項１８に記載のシステム。
【請求項２３】
なりすまし、侵入、干渉、ミーコニング、妨害またはデータ改ざんを防ぐために、前記暗号化されたコマンドが、前記冷却器内の電子制御装置から、Ｗｉ−Ｆｉ／Ｂｌｕｅｔｏｏｔｈ（登録商標）／無線周波数を介して、スマートフォンまたはタブレットまたはサーバーに送信される、請求項１７に記載の制御システム。
【請求項２４】
前記所望の温度およびその時間の長さは遠隔制御可能である、請求項１７に記載のシステム。
a.  冷却器の頂部および底部における物品の温度、ならびに冷却システムを備えた容器の外側の周囲温度が、決められた許容可能な期間および時間の許容可能な限界を超えていること、
b.  液体および/またはガスのCO2レベルが低いこと、
c.  電池残量が少ないこと、
d.  気圧の状態
についてシステムのオペレータに通知するために、Ｂｌｕｅｔｏｏｔｈ（登録商標）またはＷｉ- Ｆｉ技術を使用して携帯電話または電子メールアカウントに警告を伝達すること、音、ブザーまたは振動を伝達することをさらに含む請求項１７に記載のシステム。
【請求項２６】
前記直立位置に配置された前記少なくとも１つの圧縮液体および／または気体ＣＯ２容器をさらに含む、請求項１に記載のシステム。
【請求項２７】
逆さま状態で配置された前記少なくとも１つの圧縮液体および／またはＣＯ２容器をさらに含む、請求項１に記載のシステム。
【請求項２８】
圧縮された液体および／または気体のＣＯ２容器が直立位置にあるシステムであって、
a.  ＣＯ２容器の底部に達することができる所定の長さのサイフォン管と、
b.  前記サイフォン管は、液体ＣＯ２がＣＯ２容器の底部から頂部へと流れることを可能にし、次いで制御弁または放出弁を通って出ることを可能にし、
c.  前記ＣＯ２容器は、断熱または非断熱容器の外側に配置され、液体または気体ＣＯ２を前記断熱または非断熱容器内に伝達するための機構を備え、
d.  前記外部冷却システムは輸送用の車輪を備え、
e.  電力供給が停止したときにＣＯ２を冷却剤として冷蔵庫に供給するために、冷蔵庫から冷蔵庫のドアのガスケットを通過するキャピラリー管を介して冷蔵庫への接続と、
f.  停電が発生したときにCO2を冷却剤として冷蔵庫に供給するための冷蔵庫コンデンサへの接続と、
を有するシステム。
【請求項２９】
請求項１に記載のシステムであって、さらに
a.  一次冷凍サイクルの故障の場合に冷凍をバックアップするために使用されるシステムの実施形態は、
i.  住宅用/商業用（コンプレッサベースの冷凍サイクルへのバックアップ）、および
ii.  レクリエーション用（一次サイクルとして熱電冷却器へのバックアップ）を含む、システム。
【請求項３０】
前記システムが食物配達用の車両に一体化されていることを特徴とする請求項１に記載のシステム。
【請求項３１】
前記システムが食品保存用の車両に組み込まれていることを特徴とする請求項１に記載のシステム。
【請求項３２】
請求項１に記載のシステムであって、さらに、
a.  前記システムが、インスリンを含む、個人用の医療用貯蔵庫用容器に設計され、
b.  前記システムはさらに、伝統的または真空断熱のいずれかを有する断熱プラスチック、複合材または金属製の容器を含み、
c.  容器および容器の内部に含まれるシステムの制御メカニズム、
を含むシステム。
【請求項３３】
前記システムが、ワクチンおよび薬物を含む医療材料の臨界冷却用に設計されていることを特徴とする請求項１に記載のシステム。
【請求項３４】
前記システムが、食品、飲料、医薬品、血液、感温性化学物質および医薬品、釣りまたは狩猟活動から生じる任意の獲物、または住居の所有者、借家人または居住者（家、アパート、寮、またはタウンハウス）が存在しない場合に、冷蔵、冷却または凍結での達の配達を必要とするその他の腐りやすい物品を受け取るように設計されている、請求項１に記載のシステム。
【請求項３５】
請求項１に記載の少なくとも１つの圧縮液体および／または気体ＣＯ２容器が、
a.  12gの使い捨てメタルキャニスター（ソーダファウンテンカートリッジ）、
b.  12、16、20、24、32オンスの金属または合成シリンダー（ペイントボールシリンダー）、
c.  1、2.5、5、10、20ポンドポータブル圧縮ガスボンベ、
d。20ポンドを超えない半ポータブル/バルク圧縮ガスボンベ、
e.  大容量液体容器、および
f.  本発明の冷却システムに特化した特別に設計された圧縮液体容器およびカスタムマニホールドブロック
からなる群から選択され、前記ＣＯ２容器は前記ＣＯ２容器とマニホールドブロックとの間に、液体または気体ＣＯ２の漏れを防ぐシールを形成するために、をねじ込みまたは接続される、ことを特徴とするシステム。
【請求項３６】
請求項１７に記載の電子制御装置であって、さらに、システムが、
a,  電話、コンピュータ、またはタブレットへのBluetooth接続、
b.  電話、タブレット、またはコンピュータに接続するためのWi-Fi、
c.  無線周波数、および
d.  無線伝送の高い環境干渉がある地域での有線接続を利用した有線伝送、
からなる群から選択される無線または有線通信技術と統合されている電子制御装置。
【請求項３７】
システムのアクティブ制御装置から、Ｗｉ- Ｆｉ／Ｂｌｕｅｔｏｏｔｈ（登録商標）／無線周波数を介してスマートフォンまたはタブレットまたはサーバーに送信されるデータは、なりすまし、侵入、干渉、ミーコニング、妨害、またはデータの改ざんを回避するために暗号化される請求項３６に記載の制御システム。
【請求項３８】
所望の温度およびその時間の長さは遠隔制御可能である、請求項３６に記載のシステム。
【請求項３９】
i.  容器の頂部および底部における物品の温度、ならびに本発明の冷却システムを備えた容器の外側の周囲温度が、決められた許容可能な期間および時間の許容可能な限界を超えていること、
ii.  液体および/またはガスのCO2レベルが低いこと、
iii.  電池残量が少ないこと、
iv.  気圧の状態
について冷却システムのオペレータに通知するために、Ｂｌｕｅｔｏｏｔｈ（登録商標）またはＷｉ-Ｆｉ技術を使用して携帯電話または電子メールアカウントに警告を伝達すること、音、ブザーまたは振動を伝達することをさらに含む請求項３６に記載のシステム。
【請求項４０】
冷却されるか、または低温または凍結温度に維持されることを必要とする、個々の飲料容器用の冷却システムであって、
a.  容器の頂部が露出した状態で飲料容器を保持するための内部チャンバ―を有する円形ケーシングと、
b.  手動式、電気機械式、電子式またはサーモスタット式の弁からなる群から選択された冷却装置を利用する制御システムを有する冷却装置と、
c.  少なくとも１つのＣＯ２容器と、
d.  伝熱プレートの内部に埋め込まれたキャピラリー管システムであって、液体または気体のＣＯ２が冷却システムの温度を維持するために前記キャピラリー管を通って流れ、前記キャピラリー管システムは、キャピラリー管が目詰まりすることを防止し、所望の温度を維持しながら、キャピラリー管を通る液体および気体ＣＯ２の流れを一定で安定した状態になるための一連のフィルタを有し、
e.  飲料容器と、飲料容器を中に囲むケーシングとの両方の底部に配置される伝熱プレートであって、マニホールドブロックと、ＣＯ２容器を接合する接続部とを含む伝熱プレートと、
f.  ＣＯ２容器マニホールドブロックとＣＯ２容器を接合する接続部との間の熱交換器の上面に配置された少なくとも１つの制御弁と、
を含む冷却システム。
【請求項４１】
請求項７に記載のシステムであって、さらに、前記電子制御装置が、
a.  ｉ）冷却器の外部、ii）クーラーの内部、ｉｉｉ）熱交換器の上面の温度が視覚化さいるディスプレイと、
b.  現在の温度をチェックし、所望の温度を電子弁に送るための電子ボードと、
c.  冷却システムへの有線電子接続と、
d.  USBポートと、
e.  電源コンポーネントと、
f.  Bluetooth（登録商標）コンポーネントと
g.  WiFiコンポーネントと、
h.  無線周波数成分と、
i.  入力コネクタと出力コネクタを備えた電子部品と一方の面にディスプレイを備えたケースボックスと、
を含むことを特徴とするシステム。
【請求項４２】
前記電子制御装置がバッテリによって電力を供給される、請求項４１に記載のシステム。
【請求項４３】
前記バッテリがＵＳＢポートを介して充電可能である、請求項４２に記載のシステム。
【請求項４４】
前記バッテリが、１２ＶのＤＣ自動車接続を介して充電可能である、請求項４２に記載のシステム。
【請求項４５】
前記バッテリが１２０ＶのＡＣ接続を介して充電可能である、請求項４２に記載のシステム。
【請求項４６】
前記バッテリが太陽電池パネルを介して電力を供給される、請求項４２に記載のシステム。
【請求項４７】
システムのアクティブ制御装置から、Ｗｉ-Ｆｉ／Ｂｌｕｅｔｏｏｔｈ（登録商標）／無線周波数を介してスマートフォンまたはタブレットまたはサーバーに送信されるデータは、なりすまし、侵入、干渉、ミーコニング、妨害、またはデータの改ざんを回避するために暗号化される請求項４２に記載の制御システム。 
【請求項４８】
所望の温度およびその時間の長さは遠隔制御可能である、請求項４２に記載のシステム。
【請求項４９】
請求項４２に記載のシステムであって、さらに、
a.  容器の頂部および底部における物品の温度、ならびに本発明の冷却システムを備えた容器の外側の周囲温度が、決められた許容可能な期間および時間の許容可能な限界を超えていること、
b.  液体および/またはガスのCO2レベルが低いこと、
c.  電池残量が少ないこと、
d.  気圧の状態
について冷却システムのオペレータに通知するために、Ｂｌｕｅｔｏｏｔｈ（登録商標）またはＷｉ-Ｆｉ技術を使用して携帯電話または電子メールアカウントに警告を伝達すること、音、ブザーまたは振動を伝達することをさらに含む請求項４２に記載のシステム。
【請求項５０】
請求項４２に記載の電子制御装置であって、さらに、システムが、
a,  電話、コンピュータ、またはタブレットへのBluetooth（登録商標）接続、
b.  電話、タブレット、またはコンピュータに接続するためのWi-Fi、
c.  無線周波数、および
d.  無線伝送の高い環境干渉がある地域での有線接続を利用した有線伝送、
からなる群から選択される無線または有線通信技術と統合されている電子制御装置。
【請求項５１】
システムのアクティブ制御装置から、Ｗｉ-Ｆｉ／Ｂｌｕｅｔｏｏｔｈ（登録商標）／無線周波数を介してスマートフォンまたはタブレットまたはサーバーに送信されるデータは、なりすまし、侵入、干渉、ミーコニング、妨害、またはデータの改ざんを回避するために暗号化される請求項５０に記載の制御システム。 
【請求項５２】
所望の温度およびその時間の長さが遠隔制御可能である、請求項５０に記載のシステム。
【請求項５３】
i.  容器の頂部および底部における物品の温度、ならびに本発明の冷却システムを備えた容器の外側の周囲温度が、決められた許容可能な期間および時間の許容可能な限界を超えていること、
ii.  液体および/またはガスのCO2レベルが低いこと、
iii.  電池残量が少ないこと、
iv.  気圧の状態
について冷却システムのオペレータに通知するために、Ｂｌｕｅｔｏｏｔｈ（登録商標）またはＷｉ-Ｆｉ技術を使用して携帯電話または電子メールアカウントに警告を伝達すること、音、ブザーまたは振動を伝達することをさらに含む請求項５０に記載のシステム。
【請求項５４】
a.  断熱された側壁、断熱された再密封可能な蓋および断熱された底面を有する断熱箱と、
b.  液体および/または気体冷却CO2システムであって、
i.  少なくとも１つの圧縮された液体および／または気体の容器、
ii.  前記少なくとも１つの圧縮液体容器のそれぞれの周囲側壁および頂部によって囲まれた内部チャンバ内に保持されたＣＯ２冷媒、
iii.  少なくとも上面を有する伝熱プレート、
iv.  前記伝熱プレートの前記上面に固定されたマニホールドブロックであって、前記前記マニホールドブロックは伝熱プレートに隣接し、上面に対して垂直に延びる本体を有し、前記マニホールドブロックの本体内に延びる少なくとも１つの開口部を有し、前記少なくとも１つの開口部の表面に雌ネジを有し、前記少なくとも１つの開口部は、前記マニホールドブロックの本体の側壁の対応する開口部まで延び、
v.  前記少なくとも１つの圧縮液体および／または気体容器は、前記少なくとも１つの圧縮液体および／または気体容器の前記内部チャンバと流体連通する部材を有し、前記部材は、嵌合する雄ねじを有する周囲側壁を有し、逆さ状態の前記少なくとも１つの圧縮液体および／または気体容器の前記嵌合する雄ネジが前記雌ネジとねじ込まれて嵌合することで、前記少なくとも１つの圧縮液体および／または気体容器が前記マニホールドブロックの前記少なくとも１つの開口部に逆さの状態で保持され、
vi.  前記マニホールドブロックと保持された前記少なくとも１つの圧縮された液体および／または気体の容器との間の逆止弁であって、圧縮液体および／またはガスＣＯ２を伝熱プレートに埋め込まれたキャピラリー管に放出する流体分配弁に接続される逆止弁と、
vii.  制御ＣＯ２制御放出システムの一部として、前記ＣＯ２容器から本発明の冷却システム内に液体および／またはガスＣＯ２を放出するために電子的に制御または作動される放出または制御弁と、
viii.  様々な幅および長さを有する１つまたは複数のキャピラリー管が伝熱プレートに埋め込まれるか、または缶、ボトルまたは冷蔵、冷却または凍結を必要とする他の物品を含む飲料を冷蔵、冷却または凍結するように設計された冷却室に巻き付けられ、
ix.  前記キャピラリー管の様々な幅および長さは、ユーザーが圧縮液体および／またはガスＣＯ２の流れを手動で調整、変更または制御を可能にし、伝熱プレートのより効率的な利用のために放出されるべき圧縮液体および／またはガスＣＯ２の温度設定ならびに量にすることを可能にし、
x.  前記キャピラリー管は、伝熱プレートに沿って圧縮液体および／または気体ＣＯ２を運搬し、圧縮液体および／または気体ＣＯ２の流れの凍結、目詰まりまたは閉塞を回避するためのフィルタを有し、
を少なくとも含む、断熱冷却器。
【請求項５５】
請求項５４に記載の断熱冷却器であって、さらに
i.  絶縁された電線全体にわたって本発明のユニットに埋め込まれ内部で接続されている、前記容器の側壁の外側に配置された電子制御装置を含み、
ii.  前記電子制御装置は所望の冷却温度で前記制御弁を開く電子制御部材に暗号化されたコマンドを送信し、
iii.  前記制御弁は、液体および／または気体ＣＯ２を少なくとも１つの分配弁を通し、キャピラリー管を通して、前記伝熱プレートに分配する、
ことを特徴とする断熱冷却器。
【請求項５６】
請求項５４に記載の断熱冷却器であって、さらに、前記電子制御装置が、
a.  a）冷却器の外部、b）冷却器の内部、c）熱交換器の上面の温度が視覚化さいるディスプレイ、
b.  現在の温度をチェックし、所望の温度を電子弁に送るための電子ボード、
c.  冷却システムへの有線電子接続、
d.  USBポート、
e.  電源コンポーネント、
f.  Bluetooth（登録商標）コンポーネント、」
g.  WiFiコンポーネント、
h.  無線周波数成分、および
i.  入力コネクタと出力コネクタを備えた電子部品と一方の面にディスプレイを備えたケースボックス、
から成る群から選択されることを特徴とする断熱冷却器。
【請求項５７】
前記断熱冷却器が、
i.  冷却分配プレート、
ii.  前記液体および／または気体のＣＯ２をカートリッジから冷却分配プレートに運ぶためのキャピラリー管、
iii.  封じ込めトレイ、および
iv.  液体ディバイダー
からなる群から選択される製氷システムを含む、断熱冷却器。
【請求項５８】
圧縮液体および／またはガスＣＯ２容器が直立位置にあるシステムであって、
i.  ＣＯ２容器の底部に達することができる所定の長さをもち、放出弁内に流れ込むサイフォン管と、
ii.  前記サイフォン管は、液体ＣＯ２がＣＯ２容器の底部から頂部へと流れることを可能にし、次いで制御弁または放出弁を通って出ることを可能にし、
iiic.  前記ＣＯ２容器は、断熱または非断熱容器の外側に配置され、液体または気体ＣＯ２を前記断熱または非断熱容器内に伝達するための機構を備え、
iv.  電力供給が停止したときにＣＯ２を冷却剤として冷蔵庫に供給するために、冷蔵庫から冷蔵庫のドアのガスケットを通過するキャピラリー管を介して冷蔵庫への接続と、
v.  停電が発生したときにCO2を冷却剤として冷蔵庫に供給するための冷蔵庫コンデンサへの接続と、
を有するシステム。
【請求項５９】
前記放出弁が、電子式、手動式、およびサーモスタット式からなる群から選択されることを特徴とする請求項５８に記載のシステム。
【請求項６０】
前記断熱容器または非断熱容器は、輸送用の車輪を備えていることを特徴とする請求項５８に記載のシステム。
【請求項６１】
圧縮液体および／またはガスＣＯ２容器が直立位置にあるシステムであって、
i.  ＣＯ２容器の底部に達することができる所定の長さをもち、放出弁内に流れ込むサイフォン管と、
ii.  前記サイフォン管は、液体ＣＯ２がＣＯ２容器の底部から頂部へと流れることを可能にし、次いで制御弁または放出弁を通って出ることを可能にし、
iiic.  前記ＣＯ２容器は、断熱または非断熱容器の外側に配置され、液体または気体ＣＯ２を前記断熱または非断熱容器内に伝達するための機構を備え、
iv.  電力供給が停止したときにＣＯ２を冷却剤として冷蔵庫に供給するために、冷蔵庫から冷蔵庫のドアのガスケットを通過するキャピラリー管を介して冷蔵庫への接続と、
を有するシステム。
【請求項６２】
電力供給の停止が発生したときにＣＯ２を冷却剤として冷蔵庫に供給するための冷蔵庫コンデンサへの接続部をさらに含む、請求項６１に記載のシステム。
【請求項６３】
前記放出弁が、電子式、手動式、およびサーモスタット式からなる群から選択されることを特徴とする請求項６１に記載のシステム。
【請求項６４】
前記断熱または非断熱容器が輸送用の車輪を備えていることを特徴とする請求項６１に記載のシステム。
【請求項６５】
圧縮液体および／またはガスＣＯ２容器が直立位置にあるシステムであって、
i.  ＣＯ２容器の底部に達することができる所定の長さをもち、放出弁内に流れ込むサイフォン管と、
ii.  前記サイフォン管は、液体ＣＯ２がＣＯ２容器の底部から頂部へと流れることを可能にし、次いで制御弁または放出弁を通って出ることを可能にし、
iiic.  前記ＣＯ２容器は、断熱または非断熱容器の外側に配置され、液体または気体ＣＯ２を前記断熱または非断熱容器内に伝達するための機構を備え、
iv.  停電が発生したときにCO2を冷却剤として冷蔵庫に供給するための冷蔵庫コンデンサへの接続と、
を有するシステム。
【請求項６６】
電力供給が停止したときにＣＯ２を冷却剤として冷蔵庫に供給するために、冷蔵庫から冷蔵庫のドアのガスケットを通過するキャピラリー管を介して冷蔵庫への接続を有する請求項６５に記載のシステム。
【請求項６７】
前記放出弁が、電子式、手動式、およびサーモスタット式からなる群から選択される、請求項６５に記載のシステム。
【請求項６８】
前記断熱容器または非断熱容器が輸送用の車輪を備えている、請求項６５に記載のシステム。
【発明の詳細な説明】
【技術分野】
【０００１】
本発明は、断熱又は非断熱のアイスチェスト又はクーラーなどの携帯用ユニットに冷却温度を提供する分野に関する。本発明は、電気の接続がない場所、食品、飲料、医薬品、血液、器官、感温性化学物質、医薬品、漁業または狩猟に必要な餌、または冷蔵、冷却または所望の期間の凍結を必要とするその他の腐りやすい物品などを冷蔵するための従来の方法がない場所に、物品が個人によって持ち込まれるときに、携帯して利用できるようにすることを意図している。
【背景技術】
【０００２】
氷や利用可能な電気を用いずに物品を冷却する方法は従来技術において知られているが、冷媒として液体および／または気体CO2を利用して制御された温度を維持する装置および方法は従来技術において見出されていない。したがって、対象物およびその温度制御に対する要求およびそれがより低温または凍結状態になければならない時間の長さに応じて、対象物を低温または凍結状態に維持するための改良された装置および方法がかなり必要とされている。
【発明の概要】
【発明が解決しようとする課題】
【０００３】
以下の先行技術は、本発明者らが見出した直近の先行技術であり、そして本発明に関する本発明者らの知識の及ぶ限りで最も近い先行技術である。
【０００４】
１．１９７８年６月２７日に発行されたテイラーによる「携帯用冷凍機」と題する米国特許第４０９６７０７号。
この特許は、気体状、液体状および／または固体状の二酸化炭素を含む垂直に配向された圧力容器を含む携帯用冷凍機を開示している。熱交換器が容器の下部外側部分に固定され、外側ハウジングが容器を囲み、容器の外壁とハウジングの内壁との間に循環を形成する。ガス圧力作動ファンが熱交換器の下に配置され、容器からのガス圧力によって作動するように接続されて回転する。ファンは、適切な下部入口開口を通り、部熱交換器を通過し、出口開口部への環状の流れとなるように空気を吸い込み、それによってポータブル冷凍機が配置されている区画内の空気を冷却し循環させる。この装置は、ガス圧作動ファンを利用して温度を維持し、熱を放出して冷たい空気のための場所を提供する。この特許は、冷却剤として使用するためのファン技術を開示しており、これは本発明とは全く異なる。
【０００５】
２．ロンカグリオンによる１９８０年４月１日に発行された"DRY ICE REFRIGERATOR"と題する米国特許第4195491号
この特許は、従来の断熱ピクニック用クーラーなどを冷蔵庫に変換するための装置を開示しており、ドライアイスのためにクーラー内に配置可能な小さな容器を含んでいる。冷却器の内部に挿入可能な長方形のフレームは、冷却器の対向する側壁に近接して配置された一対の冷却コイルを含む。各コイルの一端はドライアイス容器に接続する。コイルの他端は、過剰な圧力を軽減するための押圧された吹き出し部を有する手動調整弁に接続されている。弁は容器の外部に配置されている。コイルから弁を通って流れるガスは、透明な窓の中に流体を有する表示器を通って大気に通過するので、ガスの通過時に発生した気泡が見え、弁の手動調整によりガス流速、ドライアイスの昇華速度およびクーラー内の温度を制御することができる。
【０００６】
この装置は、温度を維持する機能を果たすために弁制御放出を利用するが、特定の温度を監視し維持することができないことおよび遠隔的に取り扱うことができないことといった多くの欠点を有する。したがって、この特許における開示は本発明とは異なる。
【０００７】
３．１９８９年９月２０日に発行されたフランクリン・ジュニアによる「雪の底に底を付けたＣＯ２ＳＮＯＷクーラー」と題する米国特許第４４０４８１８号
この特許は、対向するほぼ平行な側壁と端部壁とを備え、頂部壁によって頂部が閉鎖されている垂直方向に細長い中空のハウジングを開示している。ＣＯ２スノー形成構造がハウジングの内部の上部に配置され、底壁構造がハウジングの下部を閉鎖する。底壁構造は、ハウジングの端壁の間に延びる鋭い先細り形状をもった細長い水平に配置された逆Ｖ字形のくさびを含み、くさびは、くさびの上でハウジング内に配置された多量の雪の下部を分割するように機能する。多量の雪が昇華するにつれて、ハウジングの側壁の下部の内面がくさびと水平に整列し対向する状態で、多量の雪の下部を全面で対面する熱伝達関係にする。さらに、ハウジングの側壁は、側壁の露出した内側および外側表面積を少なくとも実質的に２倍にするように機能する垂直方向に延びる波形形状をもつ。波形自体は断面が台形であり、それによってハウジング内に配置された多量のＣＯ２雪の下部分とその波形の側壁の内面との間のほぼ全面的な面接触が保証される。この特許における開示は、雪を生成するためにＣＯ２を利用したものであり、それは、制御された温度下でアイテムを冷蔵保存するように設計された装置ではない。
【０００８】
４．２００８年６月１７日に発行されたＧｏｍｅｓらによる「ドライアイスを製造するためのデバイスおよびその圧力リリーフ」と題する米国特許第７３８６９９５号 
この特許は、固化した二酸化炭素ブロックを製造するための装置を開示し、そして一緒に取り外し可能に接続可能な第一および第二のハウジング部分を含む。第１および第２のハウジング部分は、液体二酸化炭素の膨張が起こる圧力で液体二酸化炭素を受け取るようになっている内部成形チャンバを形成し、その結果、固化二酸化炭素と気体二酸化炭素との混合物が生じる。圧力解放装置が、第１および第２のハウジング部分を互いに付勢するための付勢部材を含む。付勢部材は、二酸化炭素ガスからの内圧が所定量を超えると、第１のハウジング部分と第２のハウジング部分との間の相対移動を可能にする。この構成では、第１のハウジング部分と第２のハウジング部分との間の相対的な動きによって、気体状二酸化炭素が内部成形チャンバから放出され、それによって内圧が低下する。この装置は、物品を冷蔵するために使用することができるドライアイスを製造する唯一の目的のために液体ＣＯ２を利用するものであり、物品を制御された温度下で冷蔵するために設計された装置ではない。
【０００９】
５．  2012年6月7日に発行されたレヴィットらによる「冷たいパックおよび食品および飲料容器用の冷却剤」と題する米国特許第20120138848号 
この特許は、得られた混合物が表面、液体および固体を冷却するのに有用であるように、水と混合したときに吸熱プロセスを受ける固体粒子状化合物を含む安全で安定、無毒かつリサイクル可能な冷却組成物を開示する。組成物は、カリウムを含有する吸熱性化合物、窒素を含有する一群の吸熱性化合物からの１種以上の化合物、およびリン酸アンモニウム、リン酸二アンモニウム、ポリリン酸アンモニウム、ピロリン酸アンモニウムおよびメタリン酸アンモニウムからなる群（この群の化合物または化合物の混合物が最終組成物の少なくとも１重量％である）からの少なくとも１つの化合物を常に含む。この特許に開示されているこの方法は、いくつかの化合物の混合物を利用して任意の所与の表面、固体または液体を冷却する。本発明は、それ自体が多くのエラーおよび問題を引き起こす可能性があるいくつかの化合物を使用するというこの複雑なプロセスを必要としない。
【００１０】
６．  2003年9月13日に発行されたフォクルによる「冷媒を含むアイスシートを含む携帯用冷却器」と題する米国特許第6925834号
この特許は、内蔵の冷媒キューブを含む１枚以上のアイスシートを有する携帯用冷却器を開示している。冷却器は、外側布シェルと、冷却器の内壁に取り付けられた氷床を形成するためにプラスチック内に封入された１組以上の離間した冷媒キューブとを備える。冷却器の壁は１層以上の断熱層を含むこともできる。アイスシートは、冷却効果を暗示する冷却器の内側に視覚的に心地よい外観を提供する。アイスシートは、冷媒キューブ間を通過するレーンに沿って縫い付けられる冷却器側壁に保持されるか、側壁ライナーによって形成されたポケット内に保持されるか、または冷却器の外壁と冷却器内にはめ込まれたプラスチックインサートにより画定されるチャンバ内に固定される。この装置はアイスシート利用し、温度は断熱されたアイスシートにより維持されるようにそれらを交換する必要がある。本発明はアイスシートを使用せず、この開示は本発明とは全く異なる。
【００１１】
７．  「C021er」はインターネット上で識別されている製品である。
しかしながら、この製品に対する本発明者らの研究および調査では、関連特許を見つけられなかった。この製品は1つのCO2タンクのための閉鎖したコンパートメントを持つように特別に作られた冷却器である。「Co21er」で使用されるＣＯ2システムは1つのタンクだけを利用し、それは管理された温度の下で冷蔵された物品を保つために設計された装置ではない。従来技術のいずれも、物品の凍結または領域の凍結を防止または停止するためのシステムまたは装置の方法を有していない。従来技術のいずれも、ドライアイスの形成を防止する一方で、ＣＯ２の連続的な流れを可能にする（すなわちドライアイスの形成防止）システムまたは装置の方法を有していない。従来技術のいずれも、冷却することまたは所定の温度を維持することおよび温度の陛下を防止することに限定されることになっている物品または区域の温度を制御または調節する能力を持たない（従来技術は、目的の物品または区域の温度低下または凍結を防ぐものである）。本発明と同様の携帯用冷凍における冷媒としてのＣＯ２の使用は、以前は「ドライアイス」の使用に限定されていた。ドライアイスには、次のようないくつかの欠点がある。
１）液体ＣＯ２からのドライアイスの製造は比較的非効率的であり、そしてプロセス中にかなりの量のＣＯ２が浪費される。 
２）ドライアイスの温度が低すぎて冷蔵温度を必要とする多くの品目と直接接触させることができない。
３）ドライアイスは室温で昇華するので断熱容器に貯蔵しなければならず、ドライアイスの有効冷却能力は時間とともに低下する。
4）ドライアイスは大気圧下での固有温度によりほぼ瞬時に凍傷を引き起こす可能性があるため、安全上の問題が生じる可能性がある。
様々な用途においてＣＯ２を冷却剤として利用するための改良された装置および方法がかなり必要とされている。
【課題を解決するための手段】
【００１２】
本発明は、断熱または非断熱容器内に配置される、圧縮液体および／または気体ＣＯ２容器を使用する独立型の自己完結型冷却システムであって、容器は直立または逆さで垂直に配置される特別に設計されたユニットからなる。液体および／または気体のＣＯ２冷却剤は、伝熱プレートまたは熱交換器に埋め込まれたキャピラリー管内に放出され、したがってＣＯ２冷却剤の性質を利用する。
【００１３】
温度は、遠隔的に及び／又はタッチスクリーンを介して操作することができそして所定の閾値を超えたときに警報を送ることができる電子制御装置を包含する計量式ＣＯ２放出システムによって制御される。 
【００１４】
本発明の計量式ＣＯ２放出システムは、電子式またはサーモスタット式の弁によって作動させることができ、あるいは手動でまたは電子ソレノイドによって作動させることができる。
【００１５】
本発明の冷却システムはまた、ＣＯ２容器を個々に除去または交換するときに液体および／または気体のＣＯ２が漏れるのを防ぐ逆止弁も包含する。
【００１６】
本発明は、携帯式の断熱容器または非断熱容器内の物品を冷蔵、冷却または凍結するために冷却剤として圧縮液体および／またはガスＣＯ２を使用する自己完結型冷却システムからなる。本発明は、制御された、定常的かつ一定の流量の液体および／または気体ＣＯ ２を提供して、必要とされる物品を所望の温度で冷蔵、冷却または凍結することを維持することができる。
【００１７】
本発明は、冷却器またはアイスチェスト内で低温に保たれることが望まれる物品に応じて、低温から冷却、凍結に至る所望の温度をもたらす冷却源を提供する分野に関する。
【００１８】
本発明は、可燃性ＣＯ２容器を冷媒として使用して電気を必要とせず、かつ容器内に内蔵冷却ユニットを有する必要性なしに種々の物品に一定の制御された冷却温度を与える分野に関する。 
【００１９】
以下の用語：a）キャニスター、b）シリンダー、c）カートリッジ、およびd）タンクは、本明細書全体を通して、ＣＯ２詰め替え式容器を示すために交換可能に使用される。
【００２０】
以下の用語：ａ）放出弁、ｂ）制御弁、およびｃ）分配弁は、液体および／または気体のＣＯ２を本発明の冷却システムに制御された方法で分配することを可能にする放出部材を示すために本明細書全体にわたって交換可能に使用される。
【００２１】
本発明において、液体ＣＯ２を使用することに関して以下の利点を提供することが発見された。 
１）液体ＣＯ２は標準的な周囲条件で貯蔵可能である。 
2）冷却能力は貯蔵の長さによって低下しない。 
３）冷却能力が使い果たされた後に残留液体ＣＯ２がない。
４）温度は周囲温度から-４０°Ｆ未満まで連続的に可変であり、例えば、移植輸送のためにアイスクリームを凍結した状態に維持すること、または臓器を一定の温度に保つことを可能にする。 
５）冷却剤は、容器容積から材料を除去する必要なしに容易に交換される。
６）ＣＯ２容器およびＣＯ２容器の補充はすでに一般に利用可能である（例えば飲料およびペイントボール産業）。
７）CO2は加圧容器に入っているため濡れたり、あふれたりしない。
【００２２】
本発明の冷却システムは、
ａ）１つまたは複数の圧縮された液体および／または気体のＣＯ２容器と、
ｂ）マニホールドブロックに接続された伝熱プレートと、
ｃ）前記熱交換プレートに沿って冷却剤を均一に分配するために、熱交換プレートに埋め込まれたキャピラリー管と、
ｄ）ＣＯ２容器がねじ込まれるかまたは取り付けられるマニホールドブロックと、
e）容器を個別に取り外しまたは交換するときにCO2が逃げるのを防ぐための逆止弁と、
ｆ）計量ＣＯ２制御放出システムと、当該冷却システム内の液体および／または気体ＣＯ２の放出を自動的または手動で制御、監視および調整するための制御アルゴリズムと、
ｇ）計量ＣＯ２制御放出システムの一部としての制御弁であって、前記キャピラリー管内の液体および／または気体ＣＯ２を放出し、液体および／または気体ＣＯ２の最適な流れを較正することによって前記キャピラリー管の凍結、目詰まりおよび閉塞を防ぐよう特別にカスタマイズされ、電子的、サーモスタット的、手動的または電気機械的に作動させる制御弁と、
ｈ）タッチスクリーンを使用して、または遠隔で、スマートフォンアプリケーションまたは任意の他の電子デバイスを使用して動作させることができる、計量式ＣＯ２制御放出システムを動作させるための電子ユニットと、
を含む。 本発明の冷却システムは、放出弁の種類およびＣＯ ２容器の数によって異なる変形例をとり得る。
【００２３】
本発明では、液体および／または気体のＣＯ２容器は垂直または逆さまの位置に垂直に配置されている。
【００２４】
ＣＯ２容器が直立位置にあるとき、本発明の制御弁は、ＣＯ２容器の底部に到達することができるように適切な長さのサイフォン管を有する。サイフォン管は、液体ＣＯ２がＣＯ２容器の底部から頂部へ流れることを可能にし、次いで本発明の制御弁または放出弁を通って出ることを可能にする。
【００２５】
ＣＯ２容器が逆さまの位置にあるとき、重力のために、液体または気体ＣＯ２はＣＯ２容器から流出し、本発明の制御または放出弁を通って出る。
【００２６】
ＣＯ２容器が配置され、ＣＯ２容器から本発明の冷却システムへの冷媒の通過を可能にする、特別に設計されたマニホールドブロックを提供することも本発明の目的である。
【００２７】
本発明の目的は、伝熱プレート（熱交換器とも呼ばれる）と、前記熱交換器に埋め込まれたキャピラリー管を通る液体および／またはガスのＣＯ２分布とを含む冷却システムを提供することである。熱されていてもいなくてもよい容器の内容物に／またはガスＣＯ２を供給し、それによって容器の内容物を所望の温度に保つ。
【００２８】
さらに、本発明の冷却システムの伝熱プレートに沿って液体および／または気体ＣＯ ２を運ぶためのキャピラリー管を提供することが本発明の目的である。キャピラリー管は、冷却システムによって冷却されている容器の温度を維持または低下させる目的で放出される液体および／またはガスＣＯ２の流れを可能にする。
【００２９】
本発明のさらなる目的は、本発明の冷却システム内で液体および／または気体のＣＯ２の制御放出を可能にする、ＣＯ２放出用の計量ＣＯ２制御放出システムを提供することである。本発明のさらなる目的は、計量ＣＯ２制御放出システムの一部として放出弁（制御弁とも呼ばれる）を提供することである。ここで、放出弁は、手動で、電気機械的に、電子的にまたはサーモスタット的に制御または作動させることができるもので、液体および／またはＣＯ２をＣＯ２容器から本発明の冷却システムに放出する。本発明の制御弁（放出弁）は、最適量の液体および／またはガスＣＯ２を流すように制御弁を較正することによって、キャピラリー管の配管の凍結および目詰まりおよび閉塞を防止するように特に設計されている。本発明の冷却システムに本発明の制御弁がないと、本発明の毛細管は詰まり、閉塞または凍結し、液体および／または気体ＣＯ２を適切に放出することができなくなるであろう。本発明の設計された冷却システムは、断熱型または非断熱型の携帯用ユニット（すなわち、アイスチェスト、クーラー、ランチボックス）、備え付け型ユニット（すなわち、冷蔵庫、冷凍庫）、車両のコンパートメント（すなわち、車内のトランクまたはキャビネットまたは自律走行車）、航空機、小型無人航空機（ドローン）、オートバイ、スクーターまたは自転車に液体および／または気体ＣＯ２の安定した一定の流れを提供することができる。逆止弁を含む構成を有する複数のＣＯ２容器を有する冷却システムを提供することも本発明の目的である。 逆止弁は、容器マニホールドブロックとＣＯ２容器を接合する接続部との間に使用される。これにより、タンクを個別に取り外しまたは交換するときに、液体および／またはガスＣＯ2が逃げるのを防ぐことができる。圧縮されたＣＯ２容器は、液体および／または気体が前記容器から放出されたときにＣＯ２容器内のＣＯ２液とガスのバランスを維持するために、本発明の特別に設計された冷却システムに配置される。
【００３０】
本発明によれば、ＣＯ２容器が直立位置にあるとき、本発明の制御弁は、ＣＯ２容器の底部に到達することができる適切な長さのサイフォン管を有する。サイフォン管は、液体ＣＯ２がＣＯ２容器の底部から頂部へ流れ、次いで本発明の制御弁を通って出ることを可能にする。
【００３１】
ＣＯ２容器が逆さまの位置にあるとき、液体は重力のために下降し、そして液体ＣＯ２はＣＯ２容器の底部から頂部へと流れ、本発明の制御弁を通って出ることを見出した。
【００３２】
本発明のさらなる目的は、タッチスクリーンを使用して電子的に、またはスマートフォンアプリケーションまたは任意の他の電子デバイスを使用して電子的に監視、制御および操作される計量ＣＯ２制御放出システムを提供することである。本発明の計量ＣＯ２制御放出システムは、放出弁の種類およびＣＯ２容器の数に応じて異なる構成を有する。
【００３３】
本発明の重要な目的は、温度、制御アルゴリズム、および計量ＣＯ２２制御放出システムを監視および制御することを可能にする、電池、ソーラーパネルまたは自動車内の＋１２Ｖソケットによって電力供給される電子制御装置も含む冷却システムを提供することである。これらの構成要素は、環境とともに熱伝達を最小限に抑えるために、任意の種類および任意のサイズの断熱または非断熱容器に取り付けられるか、封入されるか、またはその中に配置され得る。
【００３４】
また、本発明の目的は、なりすまし、侵入、干渉、ミーコミング（meaconing）、妨害またはデータ改ざんを回避するために暗号化データを使用する電子制御戦略を含むシステムを提供することである。送信データを暗号化するために、メッセージ認証コード（ＭＡＣ）方法が使用される。能動制御（電子的制御）が最も正確で、柔軟性があり、そして操作が容易であるので、これが好ましい実施形態であることが想定される。データは、本発明の冷却システムの能動制御器からＷｉ-Ｆｉ、Ｂｌｕｅｔｏｏｔｈ（登録商標）および無線周波数を介してスマートフォンまたはタブレットまたはサーバーに送信され、または他のあらゆる種類の装置は、なりすまし、侵入、干渉、ミーコニング、ジャミングまたはデータの改ざんを避けるために暗号化される。
【００３５】
さらに、本発明の目的は、電気接続がない場所、電気サービスが中断されている場所（例えば、商用電源の停電）、または冷蔵、冷却または冷凍についての従来の方法がない場所に輸送、保管、および移動できる冷却システムを提供することである。 
【００３６】
本発明者らは、液体および／または気体のＣＯ２を利用して断熱容器および非断熱容器、容器、区画室、密閉区域に冷却温度をもたらす最適な冷却システムを提供することに発明者らは取り組み、特許請求の範囲で画定する冷却システムは特定のまたは要求された温度を低下させるかまたは維持することが必要または望まれる領域の上、中または近くに配置された任意の種類およびサイズのＣＯ２容器を利用する。
【００３７】
本発明の多くのさらなる特徴、装置および方法が以下の段落に記載されている。
【００３８】
設計は冷却器の使用のためのものであり、また冷凍を必要としているシステムのあらゆるタイプのために設計することができる。
【００３９】
本発明は独立型であり、特別に設計することができるので、特別に作られた冷却器を有することを要求されない。
【００４０】
本発明は、温度を監視および制御するために本発明の冷却システムおよび電子制御装置を組み込んだ特別に設計された断熱冷却器を含む。
【００４１】
本発明は、１−１０分の期間内に特別に設計された製氷システムで氷を製造するために冷却器内に配置することができる追加の付属品を含む。液体および／または気体ＣＯ２を特別に設計された製氷システムに搬送するための機構は、キャピラリー管組立体に直接接続することができる。特別に設計された製氷付属品は以下を含む。：
ａ）本発明の主要ユニットへの接続組立体
ｂ）ファスナで底部冷却分配プレートに取り付けられている製氷皿ブロック
ｃ）冷却が分散している場所に水または他の液体を保持する封じ込めトレイ
d）水または他の液体で一杯になる仕切り。 プレート組立体は製氷皿の底部プレートファスナーによって一緒に固定される。
【００４２】
本発明は、冷却する必要があるかまたは冷却温度に維持するかまたは凍結する必要がある、缶／ボトルまたは個々の容器などの個々の飲料容器用の冷却システムを含む。本発明の冷却システムは円形に設計されたケーシングを有し、このケーシングは冷却ユニットの頂部を除いて、飲料容器をその中に配置できるように囲まれている。冷却ユニットは、冷却されることを意図されるかまたは望まれる飲料の種類に応じて、手動式、電気機械式、電子式またはサーモスタット式の弁を利用する本発明の制御システムを有する。
【００４３】
本発明はまた、運搬が容易な車輪を備えた可搬式冷却システムを含み、このシステムは、停電が発生したときに冷媒であるCO2を冷蔵庫に送り込むための、冷蔵庫製造業者と共同して設計された適切なコネクタまたは冷蔵庫のドアガスケットを貫通するキャピラリー管を介して冷蔵庫に容易に接続できる。 
ＣＯ２容器は直立に配置され、ＣＯ２容器の底部に到達することができる適切な長さのサイフォン管を備える。サイフォン管は、液体ＣＯ２がＣＯ２容器の底部から頂部へ流れることを可能にし、次いで本発明の制御弁または放出弁を通って出ることを可能にする。本発明の冷却システムは、冷蔵庫から外部環境への熱伝達量を最小化または排除するために冷蔵庫システムに接続および取り付けられるように特に設計されている。
【００４４】
本発明はさらに、小型無人航空機（ＳＵＡＶ、「ドローン」とも呼ばれる）を使用して医療、医薬品、食品および他の任意の小型の冷却または冷凍物品などの管理された冷蔵を必要とする物品を輸送するように設計されたシステムを含む。本発明の冷却システムは、その機械的要素に従って特定の無人機に接続され取り付けられるように特に設計される。
【００４５】
この開示は電子制御戦略と同様にシステム全体に焦点を合わせる。監視および制御および他の検知オプションのためにスマートフォン通信を利用する電子制御システムが最も正確で、柔軟性があり、そして操作が容易であるので、それは好ましい実施形態として想定される。手動式、電気機械式またはサーモスタット式のＣＯ２放出機構を組み込むなどの他の選択肢も考えられる。
【００４６】
本発明（独立型でも、特別に設計された断熱クーラーに埋め込まれたものでも）は、個々のボトル、缶または容器、断熱型または非断熱型の携帯用ユニット（すなわち、アイスチェスト、クーラー、弁当箱）、据え付け式ユニット（すなわち、冷蔵庫、冷凍庫）、車両のコンパートメント（すなわち、トラックのトランクまたは他のキャビネット、自動車、オートバイ、スクーター、自転車または自律走行車）、無人機によって輸送される飛行機のコンパートメントまたは小型容器の冷蔵、冷却または凍結に適用できる。本発明のさらなる新規な特徴および他の目的は、図面と併せて、以下の詳細な説明、考察および特許請求の範囲から明らかになるであろう。
限定ではなく例示のみを目的とした図面を参照して、以下のものが例示されている。
【図面の簡単な説明】
【００４７】
【図１】図１は、 単一のマニホールドブロックにねじ込まれた単一のＣＯ2シリンダーを利用する本発明の冷却装置の一実施形態の斜視図（第１の変形例）である（ここで、シリンダーはキャピラリー管に接続されたバルブに接続され、バルブは手動で操作される）。
【図１Ａ】図１Ａは、図１に図示された構成要素の断面を示すための、図１のＡ-Ａ線にそった断面図である。
【図１Ｂ】図１Ｂは、分解した状態の単一のＣＯ2マニホールド及び他の構成要素を示す図１の構成要素の分解図である。
【図２】図２は、手動で操作されるバルブを備える第１の変形例の本発明の分解図である。
【図２Ａ】図２Ａはマニホールドブロックの断面図である。
【図３】図３はキャピラリー組立体の分解図である。
【図４】図４は手動弁の分解図である。
【図４Ａ】図４Ａは手動バルブの断面図である。
【図５】図５は、開放バルブが電子的に作動される、本発明の第２の変形例の図である。
【図５Ａ】図５Ａは電子放出バルブの側面断面図である。
【図５Ｂ】図５Ｂは電子放出バルブの他の上面断面図である。
【図５Ｃ】図５Ｃは、熱交換器の外側、内側及び上面の温度が視覚化され、制御されている電子ディスプレイを示す。
【図５Ｄ】図５Ｄは、電子制御装置のブロック図を示す。
【図５Ｅ】図５Ｅは、電子制御装置ハードウェア上で実行されるソフトウェアプログラムのフローチャートを示す。
【図６】図６は、サーモスタットで作動する放出バルブを有する本発明の第３の変形例の図である。
【図６Ａ】図６Ａはサーモスタット弁の分解図である。
【図６Ｂ】図６Ａはサーモスタットバルブ弁の断面図である。
【図７】図７は、電子ソレノイドによって作動される解放バルブを有する本発明の第４の変形例の図である。
【図７Ａ】図７Ａは電子ソレノイドを含むマニホールドブロックの分解図である。
【図７Ｂ】図７Ｂは電子ソレノイドの分解図である。
【図７Ｃ】図７Ｃは電子ソレノイドを含むマニホールドブロックの断面図である。
【図８】図８は、３つのＣＯ2キャニスターを有し、手動で作動される放出バルブを有する第４の変形例の冷却システムの図である。
【図８Ａ】図８Ａは、図１の構成要素の断面を示す図８の断面図である。
【図８Ｂ】図８Ｂは、図８Ａに示された第４の変形例の内部構成要素を示す。
【図８Ｃ】図８Ｃは、本発明の冷却システムの第４の変形例の流体連通組立体の分解図である。
【図８Ｄ】図８Ｄは熱交換器を覆う天板を示す。
【図８Ｅ】図８Ｅは、１／８インチの交差嵌合部材の断面図である。
【図８Ｆ】図８Ｆ逆止弁の断面図である。
【図８Ｇ】図８Ｇは逆止弁の雄型圧縮取付具の分解図である。
【図８Ｈ】図８Ｈは逆止弁の雌型圧縮取付具の分解図である。
【図９】図９は、３つのＣＯ2キャニスターを備え、電子的に作動する放出弁を有する構成となった第５の変形例の冷却システムの図である。
【図９Ａ】図９Ａは、第５の変形例における本発明の冷却システムの底面図である。
【図９Ｂ】図９Ｂは、 天板が外された状態の図９に示される第５の変形例の内部構成要素の図である。
【図９Ｃ】図９Ｃは、本発明の冷却システムの第５の変形例の流体連通組立体の分解図である。
【図１０】図１０は、３つのＣＯ2キャニスターを備え、サーモスタットで作動する放出弁を備えた構成をもつ第６の変形例の冷却システムの図である。
【図１０Ａ】図１０Ａは、本発明の冷却システムの第６の変形例の流体連通組立体の分解図である。
【図１１】図１１は、１分から最大１０分までの時間範囲で製氷するための付属品を含む、本発明の冷却システムの第７の変形例の分解図である。
【図１１Ａ】図１１は製氷補助機構の流体連通組立体の分解図である。
【図１１Ｂ】図１１Ｂは製氷皿の設計に使用されるブロックの断面図である。
【図１１Ｃ】図１１Ｃは製氷補助機構に使用される熱交換器の斜視図である。
【図１１Ｄ】図１１Ｄは製氷補助機構に使用される水封じ込めトレイの斜視図である。
【図１１Ｅ】図１１Ｅは、製氷補助機構に使用される水分配器の斜視図である。
【図１２】図１２は、Ｗｉｆｉ、Ｂｌｕｅｔｈｏｏｔｈ（登録商標）又は無線周波数通信を介してスマートフォンデバイスと通信する本発明の冷却システムの図である。
【図１３】図１３は、暗号化されたアルゴリズムを使用してＷｉｆｉ、Ｂｌｕｅｔｈｏｏｔｈ又は無線周波数通信を介してスマートフォンデバイスと通信する本発明の冷却システムの図である。
【図１４】図１４は、ユニットを冷却するための本発明の冷却システムの使用の代表例を示す。
【図１５】図１５は、缶又は瓶のような飲料、圧搾母乳又は他の飲料、又は食品又は冷却又は制御された温度に維持する必要がある品目のための携帯用の個々の容器に適用する本発明の冷却システムの図である。
【図１６】図１６は、冷蔵、冷却、又は冷凍を維持する必要があり、ドローンとも呼ばれる小型無人航空機を使用して輸送する必要がある品目に適用する本発明の冷却システムの図である。
【図１７】図１７は、電子ユニット制御を備える本発明の冷却システム内蔵型冷却器の図である。
【発明を実施するための形態】
【００４８】
ここで本発明の特定の実施形態を、図面を参照しながら説明するが、そのような実施形態は単なる例示であり、本発明の原理の適用を表すことができる多くの可能な特定の実施形態のいくつかの単なる例示であることを理解されたい。本発明に関係する当業者には明らかな様々な変更および修正は、添付の特許請求の範囲でさらに画定される、本発明の思想、範囲および考察の範囲内である。
【００４９】
概して定義すると、本発明は、飲料、食品、および冷蔵を必要とする他の品目のような品目を必要に応じて長期間にわたって保存するために低温の温度、冷却温度または凍結温度に維持するための装置および方法である。
【００５０】
図１、図１Ａおよび図１Ｂを参照すると、一つのＣＯ2カートリッジを利用する本発明の冷却システムの実施形態が示されている。システム１０として、一つのＣＯ2カートリッジ２０が示されている。一つのＣＯ2カートリッジ２０は、加圧下のＣＯ2２８を含む第１の内側チャンバ２６を囲む外側周壁２２と頂部壁２４とを有する。カートリッジ２０の底部は、湾曲した周壁部２７を介して、その上にねじ山２９を有する管部材２３に接続されている。また、第２の内部チャンバ３６に通じる雌ねじ３４を有する頂部３２を有するブロックマニホールド３０が示されている。第２の内部チャンバ３６は、ＣＯ2カートリッジ２０の管２９から延びて手動弁４０に至るＬ字型管３８（破線で示す）からなる。弁は、次に、管３８と流体連通する毛細管５２を有する毛細管ユニット５０と流体連通する。
【００５１】
図２を参照すると、ＣＯ2カートリッジ１２０、ＣＯ2の通過を可能にするキャビティを有する部材１４９を介して手動弁１４０に接続されているマニホールドブロック１３０を有するシステム１００の分解図も示されている。毛細管１５０は、ＣＯ２を通過させるための内部空洞を有するねじ部材１５９を介して手動弁１４０に接続されている。
【００５２】
図２Ａは、マニホールド内部チャンバ１３２を有するマニホールドブロック１３０の断面図１３５であり、内壁１３１を有しするマニホールド内部チャンバ１３２は、第１の周壁１３６を介してブロックに固定され、第２の内部チャンバ１３３を介してキャビティ１３７に接続されている。これにより、補充可能なタンクまたはカートリッジ１２０から図２の弁１４０へのＣＯ2の通過を可能にするＬ字型管が形成される。
【００５３】
図３では、管要素２５１を有する毛管ユニット２５０の断面図が示されている。管要素２５１は、Ｃ０2２８の通過を可能にするための中空の開口部２５２を有し、さらに、コネクタ接合部２５３を介してねじ込まれる雌ネジ穴２４４と螺合する雄ネジ山２４４を有するボルト２５５に接続される 
【００５４】
図４および図４Ａはそれぞれ、本体３４７内に入るステム３４２を有する手動弁３４０の分解図および断面図を示し、手動弁３４０は、上面３４１、Ｏリング３４３、および２つのねじ穴を有するキャビティ３４４（入口）および３４６（出口）を有し、キャビティはそれぞれ、一方の側から図２のマニホールドブロック１３０に、そして他方の側から図３のキャピラリーユニット２５０に弁を接続する目的を有する。
【００５５】
図５、５Ａ、５Ｂおよび５Ｃには、電子弁５４０および電子制御装置５６０によって操作される、図１および１Ａに示されるような一つのＣＯ2カートリッジを利用する本発明の冷却システムの第２の変形例が示される。弁５４０は、図１Ｂおよび２Ａに記載されたものと同じ技術的特徴を有するマニホールドブロック５３０と、図３に示されるようなキャピラリーユニット５５０との間に配置される。部材５４３は、マニホールドブロック５３０とキャピラリーユニット５５０との間のコネクタ接合部として機能する。電子制御装置５６０は、冷却器およびその周囲の温度を評価し、冷却器内の設定された閾値温度が達成されるまで、電子弁５４０を電子的に開いてキャピラリー管５５０を通して液体ＣＯ2２８を放出させる。電子制御装置は、３つの制御された温度（冷却器の外側、冷却器の内側、および熱交換器の上面）を表示するディスプレイ５６１と、２つの構成ボタン５６２とを有するように特に設計されているもので、図５Ｄに電子制御装置の概略図が示されている。図５Ａおよび図５Ｂは、それぞれ、弁本体５４１Ａおよび５４１Ｂを有する電子弁５４０Ａおよび５４０Ｂの異なる断面図を示し、弁本体５４１Ａおよび５４１Ｂは、それぞれ、弁ステム５４４Ａおよび５４４Ｂと、弁プランジャー５４２Ａ、５４２Ｂ、５４２Ｃと、２つのディスクと、ＣＯ2が通過する伝導開口部５４５Ａおよび５４５Ｂを有する。 
【００５６】
図５Ｄは電子制御装置の概略図である。電子制御装置はその電子機器内に９つのサブシステムを有する。各システムは、ネットワーク内の他のすべてのシステムと連携して動作するように特別に調整されており、最大限の相互運用性を提供する。主要なシステムはＭＣＵ５６８であり、これはすべての入力を解釈し、それらの要因から出力を決定する。そして出力システムがある。
【００５７】
これらは、ディスプレイ５１、（ステップアップコンバータを介する）バルブ５４０、Bluetooth（登録商標）無線部５６４およびインジケータライト５６６からなる。ディスプレイ５６１は、インジケータライト５６６によって提供されるものを除いて、すべての情報をユーザーに出力する役目をもつ。ただし、伝えるべき情報間に冗長性があり得る。弁はシステム内のCO2の流れを制御し、温度を調整する。Bluetooth（登録商標）無線部５６４は、付属品間の通信手段を提供し、また入力として機能する。インジケータライト５６６は最も重要な情報をユーザーに利用可能にする働きをする。
【００５８】
入力システムは出力システムと関連付けされている。これらは、タッチスクリーン５６２、デジタル温度センサー５６５、およびBluetooth（登録商標）無線部５６４を含む。タッチスクリーン５６２は、付属品によって提供されるものを除いて、装置へのすべての入力を提供し、２つの間に重複があり得る。デジタル温度センサー５６５は温度を感知するもので、それらはより高度の正確さおよび精度を提供するためにデジタルである。Bluetooth（登録商標）無線部５６４は、付属品とフロスタイムユニットとの間の通信手段として機能する。出力の機能も有する。
【００５９】
上記のこれらのシステムに加えて、電子制御装置はまた、全動作に必要な２つのシステムを有する。これらはストレージシステム５６７とステップアップコンバータ５６３である。ストレージシステム５６７は、電子制御装置によって収集されたすべてのデータを後で検索できるように記憶し、ＭＣＵ５６８への入力および出力と見なすことができるが、ユーザーが直接アクセスすることを意図したものではない。ステップアップコンバータ５６３は、それらの電気的な違いのために、ＭＣＵ５６８とバルブシステム５４０とを一緒に結合するために必要とされる。
【００６０】
図５Ｅは、電子制御装置ソフトウェアのフローチャートを表している。ユーザーによって電源スイッチが「オン」位置５００１に切り替えられた瞬間に、本発明の冷却システムの電子制御は５０００とラベル付けされたその起動ルーティーンを開始する。ルーティーンは以下のように進行する。 最初に、タッチスクリーン／ディスプレイモジュール５００２に電力が供給され初期化される。そして、温度センサー５００３を初期化する。
【００６１】
すべてのセンサーおよびハードウェアが初期化された後、温度がディスプレイに表示され（５００４）、制御ユニットソフトウェアはその主動作ルーチン（５００５）に入る。このルーティーンは、実行された測定およびプリセットタイマに基づいてサブルーチンを条件付きで実行する。温度センサーからのデータに基づいて温度を調整するためにバルブを開から閉に変更するとともに、タッチスクリーンからの入力を検出して処理し、データを表示する。
【００６２】
チェックされた最初の条件（５００６）というのは、表示された温度が最後の１５秒間に更新されたかどうかである。イエスの場合、ディスプレイ上の温度は５００７で更新され、またログファイル５００８に保存される。次に、前の状態に関係なく、制御電子ソフトウェアは、タッチスクリーンが押されたかどうかをチェックする（５００９）。イエスの場合、弁ボタンが押されたかどうかを具体的にチェックする（５０１１）。そうである場合、自動モードは無効化され（５０１２）、弁の位置はその現在の状態から反対側のものに切り替えられる（開から開に（５０１３Ａ）、閉から開に（５０１３Ｂ））。
【００６３】
弁ボタンが押されていなとが（５０１４）、タッチスクリーンタッチがまだ検出されている（５００９）場合、自動モードが有効にされる（５０１５）。このモードでは、装置は設定温度を維持するためにバルブを開閉する。このモードの詳細な説明は、以下のメインルーチンの追加の説明で行われる。タッチである場合、制御ソフトウェアは次に、タッチがスライド式温度調節インターフェース５０１６内にあったかどうかをチェックする。もしそうであれば、グラフィックスライダは設定温度を表すように調整され（５０１７）、新しい設定点が表示される（５０１８）。それは右端をタッチポイントに変更することでなされる。
【００６４】
弁、オートモード、スライダのいずれもタッチされていない場合、本発明の冷却システムの制御ソフトウェアは、そのユニットのボタンが触れられているかどうかを確かめるために最後の１回のチェックを行う（５０１９）。そうであれば、ユニットは、押した時の初期単位に応じて、単位は華氏から摂氏または摂氏から華氏に切り替えられる（５０２０）。最後に、タッチの場合には、全てのボタンがチェックされた後、タッチが行われた場所に関する情報を含む内部タッチレジスタがリセットされて次のタッチイベントに備える（５０２１）。
【００６５】
タッチスクリーンの入力をチェックした後（５００９）、本発明の冷却システムの制御ソフトウェアは、自動モードが有効になっているかどうかをチェックし（５０１０）、そうであれば、弁の現在の状態をディスプレイにエコーし（５０２２）、緑色ライトでは弁がＯｎを表し（５０２３Ａ）、赤色ライトでは弁がＯＦＦを表す（５０２３Ｂ）。
【００６６】
Bluetooth（登録商標）接続性がチェックされる（５０２４）。接続されている場合、弁の温度が、装置に維持されるように設定されている温度とともに（５０２６）、アプリに送信される（５０２５）。
【００６７】
次に、装置は温度をチェックする。この温度が、ユーザーによって選択された設定点に加えて、弁の不必要な循環を低減するための小さい事前設定不感帯値５０２７を上回る場合、弁は開かれる（５０２８）。
【００６８】
次に、装置は、温度が設定点マイナス小さい事前設定不感帯値５０２９を下回るかどうかをチェックする。この場合、装置の弁はオフの閉位置に設定される（５０３０）。
【００６９】
最後に、装置は受信されたBluetooth（登録商標）コマンドについて別のチェックを実行する（５０３１）。１つのコマンドが受け取られた場合、それは実行される（５０３２）。
【００７０】
これで基本的な操作ルーティーンは終了する。 電源スイッチが「オフ」位置に切り替えられるまで、それは繰り返される５０３３。
【００７１】
図６、６Ａおよび６Ｂには、サーモスタットポペット弁６４０を利用する本発明の第３の変形例が示されている。サーモスタットポペット弁６４０は、特別に設計されており、マニホールドブロック６３０にねじ込まれたＣＯ2カートリッジ６２０からコネクタ６５２を介してサーモスタットポペット弁６４０に接続された毛細管６５０へ液体または気体ＣＯ2２８が流れることを可能にする。 
【００７２】
図６Ａは、閉位置にあるサーモスタットポペット弁６４０の断面図を示す。弁６４０Ａの本体は、ワックスまたはポリマーを封入するヘッド６４１を有する。温度が上昇すると、ポリマーまたはワックスが膨張してプランジャー６４２を押し下げ、入口からパイプニップル６４５から出口６４９への流れを可能にする。ユニットが圧力を受けていないときにばね６４８がプランジャーに力を加えてプランジャーが密封されないようにする（これを予荷重と呼ぶ）。圧力逃がし穴６４３が、異常に極端な圧力の場合に、ユニット内の過度の圧力によって引き起こされる過度に大きな応力の形成を防止する。止めねじ６４６が、止めねじ穴６５１と共に使用されて、ばねを保持し、流体の通過を可能にする。 部品６４４Ａ、６４４Ｂおよび６４４Ｃはシール用Ｏリングである。部品６４１Ａは、サーモスタットポペット弁６４０を正しい深さに配置することを可能にするためのジャムナットである。部品６４０Ａは、サーモスタットポペット弁６４０の本体であり、これもマニホールドと見なすことができる。
【００７３】
図６Ｂは、サーモスタットアクチュエータ６４１を有し、１組のねじ６４７Ａおよび６４７Ｂを介してマニホールドブロックに接続されている本体６４０Ａを有するサーモスタットポペット弁６４０の分解図を示している。本体６４０Ａの反対側には、ばね６４８を保持しかつ流体の通過を可能にするための穴を有する止めねじがある。
【００７４】
図７、７Ａ、７Ｂおよび７Ｃには、マニホールドブロックに含まれるソレノイドバルブを使用する本発明の第４の変形例（これは先の６つの変形例の放出弁の動作を置き換えるもので、液体又は気体ＣＯ2をキャニスターから毛細管アセンブリに直接通過させる）が示されている。図７は、図１Ａに示したものと同じ断面図を有し、図３に詳述されている同じ要素を含むキャピラリー組立体７５０へのＣＯ2の流れを可能にする電子ソレノイド７３１によって作動される、逆のＣＯ2キャニスター７２０の分解図を表す。電子ソレノイド７３１が作動すると、それは図７Ａに示されたレバーライナージ７３４および７３５を押圧し、キャニスター７２０上の弁を開いてＣＯ2の流れを可能にする。この変形例では、弁はソレノイドを通る電流によって電気機械的に制御される。
【００７５】
図７Ａは、ソレノイド７３１、予圧バネ７３７、シャフト７３２、プランジャー７３３、レバーヒンジピン７３４、およびアクチュエータレバー７３５を含むマニホールド７３０の分解図を示す。
【００７６】
通常閉じているとき、プランジャー戻しばね７３７は、プランジャー７３３をＣＯ2キャニスターのオリフィスに対して保持し、弁を通る流れを防止する。ソレノイドが励磁されると、磁界が発生し、レバーを作動させてプランジャーを上昇させ、バルブを通る流れを可能する。
【００７７】
図７Ｂは、主コイル７４０、プランジャー７３３、Ｏリング７３６、およびワイヤリード７３７からなる電子ソレノイドの分解図である。
【００７８】
図７Ｃは、外壁７４１、ＣＯ2キャニスタレセプタクル７３２、ＣＯ2チャンバ７３３、ソレノイドねじ山７３４、シャフトキャビティ７４５、レバーヒンジピン穴７３７、および図７に示すキャピラリー組立体７５０と連通する流体連通出口７３９を有するマニホールド７３０の断面図を示す。
【００７９】
複数の電磁弁をマニホールド上に一緒に配置することができ、したがって３つのＣＯ2キャニスターを上下逆にした構成をとることができる。
【００８０】
本発明のより一般的な実施形態は、多数の逆ＣＯ2シリンダーを使用することである。例として、一つの好ましい態様は三つのＣＯ2シリンダーを有することである。図８には、多数の逆ＣＯ2容器、この場合は３つのＣＯ2容器を有する本発明の冷却システムの実施形態が示されている。この実施形態は、シリーズ８００で符号付けされ、本発明の第５の変形形態を表す。
【００８１】
図８Ａは、構成要素の詳細を説明するための逆ＣＯ2容器８２０Ａのうちの１つの断面図である。具体的には、シリンダー８２０Ａは、加圧下でＣＯ2（８２８Ａ）を含む内部チャンバ８２６Ａを囲む外壁８２２Ａおよび頂部８２４Ａを有する。同様に、図１Ａの分解図に示されるように、逆さＣＯ2カートリッジ８２０Ａの底部は、周囲にネジ山８２９Ａをもつチューブ８２３Ａを含む。他の２つの逆ＣＯ2シリンダーの断面図は示されていないが、それらは同じ内部構成を有することが理解されるであろう。内部ＣＯ2シリンダー８２０Ｂは、圧力下のＣＯ2を含む内部チャンバを囲む外壁８２２Ｂと頂部８２４Ｂとを有する。 
同様に、ＣＯ2容器８２０Ｃは圧力下のＣＯ2を含む内部チャンバを囲む外壁８２２Ｃと頂部８２４Ｃとを有する。３つのＣＯ2カートリッジ８２４Ａ、８２４Ｂおよび８２４Ｃは手動弁８４０によって操作され、それらは熱交換器８７０に接続されているマニホールドブロック８３０にねじ込まれている。手動弁の断面図は示されていないが、それらは図４および図４Ａに示されたものと同じ構成を有することは理解されるであろう。熱交換器の図を図８Ｂに示し、３つのＣＯ2シリンダーを有する実施形態の弁システムの分解図を図８Ｃに示す。
【００８２】
図８Ｂおよび図８Ｃには、図８Ｄに示され、シリーズ８８１で符号付けされた上部プレートを外した手動弁８４０によって操作される３つのＣＯ2シリンダー８２０Ａ、８２０Ｂおよび８２０Ｃを有する実施形態の内部および分解図がそれぞれ示される。図８には、３つの上述のＣＯ2シリンダーを液体連通システムに接続する目的を有するマニホールドブロック８３０も示されている。液体連通システムは手動弁８４０、３つのチェックバルブ８９０Ａ、８９０Ｂおよび８９０Ｃからなり、それぞれは１／８インチ交差嵌合部材８８１、および液体または気体ＣＯ2を熱交換器８７０に運ぶ目的を有するキャピラリー管８５０に取り付けられる。図８Ｃでは、３つの逆止め弁８９０Ａ、８９０Ｂ、および８９０Ｃと、５つの接続要素８８０Ａ、８８０Ｂ、８８０Ｃ、８８１、および８９２と、２つの接続管８９１Ａおよび８９１Ｂと、熱交換器８７０に埋め込まれるキャピラリー管８５０に直接接続される要素８５２とを含む、上述の流体連通システムの分解図が示されている。図８Ｄでは、点８７１Ｂ、８７１Ｃ、８７１Ｄおよび８７１Ｅのところのねじ、さらに二つのスロット（符号８７１Ｆおよび８７１Ｇ）を通して主実施形態に結合されている頂面８７１が示されている。穴８７１Ｈは、図８に示すように手動弁８４０を受け入れるように特に設計されている。
【００８３】
図８Ｅは、流体連通システムの他の全ての要素が接続される４つの雌ねじ８８１Ａ、８８１Ｂ、８８１Ｃ、および８８１Ｄを有する１／８インチ交差嵌合部材の断面図を示す。
【００８４】
図８Ｆは、１つの逆止弁８９０Ａの断面図を示す。逆止弁８９０Ｂおよび８９０Ｃの断面図は示されてはいないが、それらは図８Ｄに示されるのと同じ構成を有することが理解されるであろう。本体８９０ＡＡは、液体または気体ＣＯ2が通過し、ばね８９０ＡＢを通過して出口８９０ＡＣから出る入口開口部８９０ＡＦを有する。キャニスター８２０がマニホールド８３０から離されると、８９０ＡＤのボールチェックがＣＯ2の逆流を止める。 
【００８５】
図８Ｇおよび図８Ｈには、それぞれ雄型および雌型接続継手の分解図が示されている。図８Ｇには、２つの同一の雄型圧縮継手の一方８８０Ａ（他方は８８０Ｃ）が示されているが、この雄型圧縮継手８８０Ａは、逆止め弁８９０Ａを、雌型圧縮継手８８０Ｂ（図８Ｈにの分解図に示されている）を介して図８Ｅの交差嵌合部材と連通している管８９１Ａに接続している。雄型と雌型の両方の圧縮継手は、それぞれ図８Ｇのそれぞれ８８０ＡＢ、８８０ＡＣ、８８０ＡＤ並びに図８Ｈの８８０ＢＡ、８８０ＢＢおよび８８０ＢＣの接続部材を有し、これらは一端で逆止弁に、また交差嵌合部材に、反対側の端ではいかなる種類の漏れもないように完全に合うように選択される。
【００８６】
図９、９Ａ、９Ｂおよび９Ｃは、３つの上下逆ＣＯ２カートリッジを有する構成の、電子弁で動作する１つの完全な実施形態を有する本発明の冷却システムの第６の変形例を示す。
この変形例は、図５Ｄに示すように、温度が何度であるかを決定するため、必要な冷却または凍結温度を達成するために必要なものを決定するために、冷却器およびその周囲の温度を評価するセンサーを有する電子制御装置を含む。電子制御装置がこの分析を実行した後、電子制御装置は、冷却器内部の設定閾値温度が達成されるまで、電子弁９４０を電気的に開き、熱交換プレート９７０内のキャピラリー管９５０を通して液体ＣＯ２を放出する。この構成は、伝熱プレート９７０に固定されているマニホールドブロック９３０内に多数の反転型ＣＯ２カートリッジを含み、マニホールドブロック９３０を介して、ＣＯ２カートリッジは、電子制御装置９６０によって制御される電子弁９４０により制御されるチェックバルブ９９０Ａ、９９０Ｂ、９９０Ｃに結合されている。電子制御装置が特定の用途に必要な冷却温度または凍結温度の量を決定すると、それは電子制御弁９４０に信号を送ってカートリッジ９２０Ａ、９２０Ｂおよび９２０Ｃの内部チャンバからＣＯ２が、チェック弁９９０Ａ、９９０Ｂ、９９０Ｃを通り、キャピラリー管９５０（そこで冷却のための場所に割り当てられている）内に流れることを可能にする。伝熱プレート９７０は、キャピラリー管から冷却または凍結すべき領域への冷却伝達を容易にする。これは事実上本発明の基本原理であり、異なる構成要素を使用する他の変形例は同じ結果を達成するが、異なる構成要素を異なる用途に使用することができる。
【００８７】
図９Ａは、３つのＣＯ２カートリッジ９２０Ａ、９２０Ｂおよび９２０Ｃを有する変形例である熱交換器９７０の底面図である。部材９７０Ａおよび９７０Ｂは、熱交換板９７０をマニホールドブロック９３０に固定する。
【００８８】
図9Bおよび9Cは、それぞれ本発明の実施形態の第6変形例の流体連通組立体の斜視図と分解図を示します。流体連通システムは、電子弁９４０である弁によって表される唯一の違いを除いて、図８Ａの同じ特徴を有する。コネクタ部材９４３は、マニホールドブロック９３０とキャピラリーユニット９５０との間の接合部として機能する。 
【００８９】
図１０および図１０Ａは、それぞれ、本発明の第６の変形例について図９、９Ｂおよび９Ｃに詳細に記載されたのと同じ構成要素を含む、本発明の第６の変形例の上面斜視図および流体連通組立体の分解図である。 唯一の違いは、必要な温度に対してどれだけのＣＯ２を放出する必要があるかを電子制御装置９４０が決定する代わりに、コネクタ部材１９４２、１９４３および１９４４を介して流体連通組立体に接続されたサーモスタット弁１９４０によって置き換えられることである。すべての要素に同じ番号と、追加の番号1000が付けられている。たとえば、各シリンダーが920Aである代わりに、シリンダーは1920Aとなる。ポリマーまたはワックスベースのサーモスタットアクチュエータ１９４５がポペット弁１９４０に接続されており、ポペット弁１９４０は、弁が所定の温度になったときに、ＣＯ２を、キャピラリー管１９５０を通して熱交換板１９７０内に放出する。ワックスベースまたはポリマーサーモスタット弁は、所定の温度で作動するものである。ワックスベースまたはポリマーサーモスタット弁は、ワックスの熱膨張を利用することによって動作する。ワックスまたはポリマーが溶融し始めると、ワックスまたはポリマーは膨張して弁を開く。システムが冷却し始めると、ワックスまたはポリマーが凝固して弁を閉じる。ワックスまたはポリマーが溶融し始める温度はその配合に依存するもので、所望の操作温度に基づいて選択される。 ガスは逆止弁本体１９９０Ａ、１９９０Ｂおよび１９９０Ｃを通って入り、次いで１／８インチ銅管１９９１Ａおよび１９９１Ｂを通って流れる。ガスは次に、3つの入り口1942と1944のすべてに雌ネジが付いている１／８インチNPT Tコネクタに入り、一方に雄ネジ、他方に雌ネジ（サーモスタットポペット弁１９４０が取り付けられる１／８インチNPT ９０度継手に進む。その後、ガスはキャピラリー管組立体１９５２に入り、最後にキャピラリー管１９５０を出る。銅製配管を行うためには、メス型圧縮継手１９８０Aおよび１９８０C、オス型圧縮継手１９８０Bおよび１９８０Dが使用される。Ｔコネクタを一緒に取り付けるには、両側に雄ネジが付いた１／８インチNPTニップル１９４３を使用する。
【００９０】
図１１には、ＣＯ２マニホールドに取り付けることができるアイスキューブトレイの設計組立体が示されている。これが本発明の冷却装置の第７の変形例である。図１１に示されるメカニズムは、１から１０分の期間で氷を形成することを可能にする。
【００９１】
図11の分解図は、ユニットの要素とサブ組立体に関する。ＣＯ２は入口ホース７９５０に入り、雌型クイック脱着カプラー７９５１および雄型クイック脱着カプラー７９５２を通って製氷皿ブロック７９５３（製氷皿ブロック固定具７９５４Ａおよび７９５４Ｂでもって底部冷却分配プレート７７７０に取り付けられるに押し込まれる。次いで、ＣＯ２は、キャピラリー管組立体７５００に入り、キャピラリー管７５０１を出て底部冷却分配プレート７７７０に入る。そして、冷却効果が、水閉じ込めトレイ７７６０を通って水で一杯になる水分配器７７８０に分散される。プレート組立体は、製氷皿底板固定具７７７２によって互いに固定されている。 
【００９２】
図１１Ａは、キャピラリー組立体７５００の分解図を示している。ＣＯ２は、キャピラリー管雌継手７５０４に入り、次にキャピラリー管７５０１に入る。キャピラリー管を所定位置に保持するために、キャピラリー管フレア継手７５０３が使用され、キャピラリー管雄型継手７５０２がフレア継手を圧縮してそれを適所に保持するために使用される。
【００９３】
図１１Ｂは、製氷皿設計に使用されるブロック（７９００）の断面を示す。ガスは取り付け用の雌ネジをもつ１/８インチNPTの部分に入り、次にキャピラリーアタッチメント７５５９用の雌ネジをもつ部分10-32から出る。全長を短くするために、キャピラリー組立体７９５５を取り付けるためのソケット用の切り欠きを形成しなければ、キャピラリー組立体を取り付けることはできない。製氷皿ブロックハウジング７９５６は、製氷皿ブロックボルト穴７９５７Ａおよび７９５７Ｂを通して取り付けられる。 
【００９４】
図１１Ｃは、冷却分配プレート７７７０の全体図を表す。ガスは、冷却分配プレートキャピラリー管入口穴７７７４を通って入り、冷却分配プレートガス流路７７７６を通って流れる。その後、ガスは出口孔７７７５を通って出る。ブロックを取り付けるために、ウォータートレイ７６０を取り付けるための２つのネジ付きブロック締め付け孔７７７３Ａ、７７７３Ｂが含まれ、部品７７７１Ａ、７７７１Ｂ、７７７１Ｃおよび７７７１Ｄが含まれる。 その後、冷却効果が水封じ込めトレイ７７６０を通して分散される。符号付けの目的のために、冷却分配プレートの上部に７７７７が付されている。
【００９５】
図１１Ｄは、水封じ込めトレイ７７６０の全体図を示す。図１１Ｃの冷却分配プレート７７７０が冷却されているとき、最初に冷却されるのは水封じ込めトレイの底部７７６２である。冷却効果が封じ込めトレイを通って移動すると、水封じ込めトレイの前面７７６１と水封じ込めトレイの側面７７６３も冷却される。
【００９６】
図１１Ｅは、水分配トレイ７７８０を表す。水閉じ込めトレイが冷却されると、最初に水閉じ込めトレイ７７８２に対面する水分配器側が冷え、次に水を分離する水分配器側（７７８３）が冷え、最後に水分配器の頂部（７７８１）が冷える。 凍結プロセス全体は、合計で1−10分かかる。
【００９７】
図１２には、スマートフォン２００４と、ＷｉＦｉ ２００１、Ｂｌｕｅｔｏｏｔｈ（登録商標） ２００２またはＲａｄｉｏ Ｆｒｅｑｕｅｎｃｙ ２００３送信を介した本発明の冷却システム２０２０を制御する電子制御装置２０６０との間のデータ通信の構成が示されている。通信は、図５Ｅに示すように制御ソフトウェアによって処理される。
【００９８】
図１３に、スマートフォン３００１と本発明の冷却システム３０２０を制御する電子制御装置３１６０との間のデータ暗号化方法（３０００）の構成が示されている。送信されたデータを暗号化するために、メッセージ認証コード（ＭＡＣ）方法が同一のキー３１０７および３１０８と共に使用される。暗号化ソフトウェアはアプリケーションに含まれ、データは暗号化され（３１０２）、図１２に記載の送信方法を使用して無線で送信される。電子制御装置３１６０上で動作する電子制御ソフトウェアは、暗号化されたデータ（３１０４）を受け取り、それらを、ＭＡＣアルゴリズムを用いて復号化し（３１０５）、受け取ったデータを利用して本発明の制御ユニット３０２０を動作させる。
【００９９】
図１４は、主電源の電力供給が停止した場合に使用することができる冷蔵庫ユニット４００１への本発明の冷却システムの適用を表す。液体または気体ＣＯ２容器４０２０（１．２．５、５、１０、２０、５０、または７５ポンドの携帯用圧縮／液化ガスボンベであり得る）は、市販されているホイール４００２を備えた運搬装置に上向きに配置される。液体または気体ＣＯ２は、電子式または手動式またはサーモスタットであり得る放出弁４０４０に流入するサイフォン管４００５を通り、さらに冷凍機ガスケット４００３の穴４００４を通り冷凍機ユニットに接続される追加のキャピラリー管４０５０を通って放出される。ＣＯ２の放出メカニズムは、手動バルブを使用する場合は図1および2、電子バルブを使用する場合は図5、サーモスタットバルブを使用する場合は図6で説明したものと同じある。
【０１００】
図１５には、冷却対象物６００１を冷却または凍結するための本発明の冷却システムの適用が示され、ここで、液体または気体の小さなシリンダー、すなわち１２ｇの使い捨て金属キャニスター（ソーダファウンテンカートリッジ）および冷却剤チャンバ６００２（その冷却剤チャンバ６００２の周りには（単数または複数の）キャピラリー管６０５０が取り巻いている）が利用されている。小型シリンダー６０２０は、マニホールドブロック６０３０に固定され、液体または気体のＣＯ２を放出弁６０４０（放出弁６０４０は、電子式または手動式またはサーモスタットであり得る）に放出する。ＣＯ２の解放機構は、手動弁が使用される場合は図１および２、電子弁が使用される場合は図５、サーモスタット弁が使用される場合は図６、および電子ソレノイドが使用される場合は図７で説明されるのと同じである。
【０１０１】
図１６では、小型無人飛行機（ＳＵＡＶ、「ドローン」とも呼ばれる）７０２１によって輸送される冷凍ユニットへの本発明の冷却システムの適用が表されている。本発明の冷却システム７０２０は、図１５に記載されたものと同様の小さいＣＯ２カートリッジ、すなわち１２ｇの使い捨て金属キャニスター（ソーダファウンテンカートリッジ）７０２０を有する。本発明の冷却システムは、無人機に取り付けられたベース7002にネジで固定された断熱または非断熱箱で保護される。
【０１０２】
図１７には、本発明の冷却ユニットが埋め込まれた冷却器８０００の図が示されている。冷却器は、間に断熱材８１０３を含む上部上蓋８１０２および上部下蓋８１０４を有する。同じ断熱材８１０３が、内側側壁８１０６と外側側壁８１０８との間、および底部外壁８１１２と底部内壁８１１０との間に配置されている。一方の側壁には電子制御装置８１６０が配置されている。前記電子制御装置は、３つの上下逆のＣＯ２キャニスター８１２０、キャピラリー管８１５０、熱交換器８１７０およびマニホールドブロック８１３０（ＣＯ２キャニスターがねじ込まれる）を有する本発明の冷却ユニット８１００にワイヤー接続（８１０９）されている。本発明の冷却ユニットと飲料および食品用の区画との間のセパレータの機能を有する内壁８１８０も示されている。
【０１０３】
もちろん、本発明は、本明細書に開示された特定の形態または配置、特定の実施形態、または特定の用途に限定されることを意図していない。示された装置または方法は、実施形態の例示および開示のみを目的としており、本発明を具現化または操作することができる様々な形態または修正のすべてを示すことを意図するものではない。
【図１】
2020504803.tif 000003
【図１Ａ】
2020504803.tif 000004
【図１Ｂ】
2020504803.tif 000005
【図２】
2020504803.tif 000006
【図２Ａ】
2020504803.tif 000007
【図３】
2020504803.tif 000008
【図４】
2020504803.tif 000009
【図４Ａ】
2020504803.tif 000010
【図５】
2020504803.tif 000011
【図５Ａ】
2020504803.tif 000012
【図５Ｂ】
2020504803.tif 000013
【図５Ｃ】
2020504803.tif 000014
【図５Ｄ】
2020504803.tif 000015
【図５Ｅ】
2020504803.tif 000016
【図６】
2020504803.tif 000017
【図６Ａ】
2020504803.tif 000018
【図６Ｂ】
2020504803.tif 000019
【図７】
2020504803.tif 000020
【図７Ａ】
2020504803.tif 000021
【図７Ｂ】
2020504803.tif 000022
【図７Ｃ】
2020504803.tif 000023
【図８】
2020504803.tif 000024
【図８Ａ】
2020504803.tif 000025
【図８Ｂ】
2020504803.tif 000026
【図８Ｃ】
2020504803.tif 000027
【図８Ｄ】
2020504803.tif 000028
【図８Ｅ】
2020504803.tif 000029
【図８Ｆ】
2020504803.tif 000030
【図８Ｇ】
2020504803.tif 000031
【図８Ｈ】
2020504803.tif 000032
【図９】
2020504803.tif 000033
【図９Ａ】
2020504803.tif 000034
【図９Ｂ】
2020504803.tif 000035
【図９Ｃ】
2020504803.tif 000036
【図１０】
2020504803.tif 000037
【図１０Ａ】
2020504803.tif 000038
【図１１】
2020504803.tif 000039
【図１１Ａ】
2020504803.tif 000040
【図１１Ｂ】
2020504803.tif 000041
【図１１Ｃ】
2020504803.tif 000042
【図１１Ｄ】
2020504803.tif 000043
【図１１Ｅ】
2020504803.tif 000044
【図１２】
2020504803.tif 000045
【図１３】
2020504803.tif 000046
【図１４】
2020504803.tif 000047
【図１５】
2020504803.tif 000048
【図１６】
2020504803.tif 000049
【図１７】
2020504803.tif 000050
【国際調査報告】
2020504803.tif 000051
2020504803.tif 000052
2020504803.tif 000053